(57)【要約】【課題】加湿能力が高く、水に濡れても確実に姿勢を保持できる加湿器用エレメント構造体を提供する。【解決手段】吸水性不織布から成る３枚以上の薄片状単葉体１，２，３，４を備え、単葉体１，２，３，４の長手方向の夫々異なる位置に非切断残部を残してスリットが形成され、スリットに非切断残部を順次差し込んで３枚以上の単葉体１，２，３，４を平面視放射状に組み立てた立体複合体５を構成し、立体複合体５の上端近傍にて全ての単葉体１，２，３，４を相互に連結する係止手段５０を備えている。【選択図】図１
2014081172.tif 000002
【特許請求の範囲】
【請求項１】
吸水性不織布から成る３枚以上の薄片状単葉体（１）（２）（３）（４）を備え、該単葉体（１）（２）（３）（４）の長手方向の夫々異なる位置に非切断残部（６）（７）（８）（９）を残してスリット（Ｓ１）（Ｓ２）（Ｓ３）（Ｓ４）が形成され、該スリット（Ｓ１）（Ｓ２）（Ｓ３）（Ｓ４）に上記非切断残部（６）（７）（８）（９）を順次差し込んで上記３枚以上の単葉体（１）（２）（３）（４）を平面視放射状に組み立てた立体複合体（５）を構成し、該立体複合体（５）の上端近傍にて全ての上記単葉体（１）（２）（３）（４）を相互に連結する係止手段（５０）を備えていることを特徴とする加湿器用エレメント構造体。
【請求項２】
上記係止手段（５０）は、１つの上記単葉体（１）に貫設される差込孔（１０）と、別の上記単葉体（４）に突設される差込片（４０）と、他の上記単葉体（２）（３）に形成され上記差込孔（１０）に挿入可能な中間挿通部（２０）（３０）とを、有し、
上記差込孔（１０）に、上記中間挿通部（２０）（３０）と上記差込片（４０）を順次挿通すると共に該差込片（４０）を引き抜けないように掛止して、全ての上記単葉体（１）（２）（３）（４）を連結するように構成された請求項１記載の加湿器用エレメント構造体。
【請求項３】
上記立体複合体（５）を構成する上記単葉体（１）（２）（３）（４）の各々に突出状装飾部（１８）を連設している請求項１又は２記載の加湿器用エレメント構造体。
【請求項４】
上記立体複合体（５）に、プラスチック片から成る小鳥・花・果実の小物副装飾部材（１９）を付設している請求項１，２又は３記載の加湿器用エレメント構造体。
【発明の詳細な説明】
【技術分野】
【０００１】
本発明は、加湿器用エレメント構造体に関する。
【背景技術】
【０００２】
従来、水を張った容器にシート状の加湿エレメントを鉛直状に立て、この加湿エレメントに水を含ませて蒸発させることにより室内を加湿する加湿器が提案されている（特許文献１参照）。
【先行技術文献】
【特許文献】
【０００３】
【特許文献１】特開２００４−２７１１５６号公報
【発明の概要】
【発明が解決しようとする課題】
【０００４】
しかし、従来の加湿器は、加湿エレメントが全体に水を吸い上げると、加湿エレメントが湿って剛性が低下し、水を含んで重くなるため、加湿エレメントが自重に耐えられず姿勢を保持することができなくなって、折れ曲がって倒れてしまい不格好で、しかも、十分な加湿ができなくなるという欠点があった。また、シート状加湿エレメントが平面的形状であったため、空気に触れる面積が狭く、加湿能力が十分でなかった。
【０００５】
そこで、本発明は、加湿能力が高く、水に濡れても確実に姿勢を保持できる加湿器用エレメント構造体を提供することを目的とする。
【課題を解決するための手段】
【０００６】
本発明に係る加湿器用エレメント構造体は、吸水性不織布から成る３枚以上の薄片状単葉体を備え、該単葉体の長手方向の夫々異なる位置に非切断残部を残してスリットが形成され、該スリットに上記非切断残部を順次差し込んで上記３枚以上の単葉体を平面視放射状に組み立てた立体複合体を構成し、該立体複合体の上端近傍にて全ての上記単葉体を相互に連結する係止手段を備えているものである。
【０００７】
また、上記係止手段は、１つの上記単葉体に貫設される差込孔と、別の上記単葉体に突設される差込片と、他の上記単葉体に形成され上記差込孔に挿入可能な中間挿通部とを、有し、上記差込孔に、上記中間挿通部と上記差込片を順次挿通すると共に該差込片を引き抜けないように掛止して、全ての上記単葉体を連結するように構成されたものである。
また、上記立体複合体を構成する上記単葉体の各々に突出状装飾部を連設しているものである。
また、上記立体複合体に、プラスチック片から成る小鳥・花・果実の小物副装飾部材を付設しているものである。
【発明の効果】
【０００８】
本発明の加湿器用エレメント構造体によれば、平面視放射状に組み立てられた薄片状単葉体が相互に支え合って、水に濡れた状態でも鉛直姿勢を保持できる。立体複合体の上端がバラけてしまうことなく、美しく設置することができる。空気に触れる表面積が広く、吸い上げた水を確実に蒸発させることができる。
【図面の簡単な説明】
【０００９】
【図１】本発明の実施の一形態を使用状態で示した斜視図である。
【図２】本発明の加湿器用エレメント構造体を分解して示した分解正面図である。
【図３】立体複合体を組み立てる前段階を示した簡略図であり、（ａ）は正面視簡略図であり、（ｂ）は断面平面簡略図である。
【図４】立体複合体を組み立てる初期段階を示した簡略図であり、（ａ）は折畳状態での正面視簡略図であり、（ｂ）は展開状態での断面平面簡略図である。
【図５】立体複合体を組み立てる中間段階を示した簡略図であり、（ａ）は折畳状態での正面視簡略図であり、（ｂ）は展開状態での断面平面簡略図である。
【図６】立体複合体を組み立てる最終段階を示した簡略図であり、（ａ）は折畳状態での正面視簡略図であり、（ｂ）は展開状態での断面平面簡略図である。
【図７】本発明の他の実施形態を示した分解正面図である。
【図８】小物副装飾部材を例示した簡略図であって、（ａ）は小鳥を象った副装飾部材の簡略図であり、（ｂ）は花を象った副装飾部材の簡略図であり、（ｃ）は果実を象った副装飾部材の簡略図である。
【発明を実施するための形態】
【００１０】
以下、実施の形態を示す図面に基づき本発明を詳説する。
図１と図２に示すように、本発明の加湿器用エレメント構造体は、吸水性不織布から成る３枚以上の薄片状単葉体１，２，３，４を備え、単葉体１，２，３，４の長手方向の夫々異なる位置に非切断残部６，７，８，９を残してスリットＳ１，Ｓ２，Ｓ３，Ｓ４が形成されている。このスリットＳ１，Ｓ２，Ｓ３，Ｓ４に非切断残部６，７，８，９を順次差し込んで３枚以上の単葉体１，２，３，４を平面視放射状に組み立てた立体複合体５を構成し、立体複合体５の上端近傍にて全ての単葉体１，２，３，４を相互に連結する係止手段５０を備えている。
図１では、立体複合体５は、使用状態で、水を収容する容器Ｂの挿入筒部に挿入されて毛細管現象によって水を吸い上げる挿入脚部５Ｂと、挿入脚部５Ｂから外側に突出状に形成され容器Ｂの挿入筒部に当接する当接部５Ｃと、容器Ｂに鉛直姿勢にて支持されて吸い上げた水を蒸発させる蒸発加湿部５Ａとを、備えている。
なお、本発明に於て、吸水性不織布は、多孔質であって吸水性・乾燥性に優れ、立体複合体５の挿入脚部５Ｂの下端が水に浸かっていれば、毛細管現象によって水を吸い上げて蒸発加湿部５Ａ全体に水を含ませ、周囲の空気の湿度に応じて水を蒸発させるものである。
【００１１】
図２では、立体複合体５を構成する４枚の単葉体１，２，３，４を分解状態で示している。図中右端の単葉体１は、上端近傍に非切断残部６を残して、長手方向の中間位置から脚片部にかけてスリットＳ１が形成されている。単葉体１の非切断残部６には、長穴状の差込孔１０が設けられている。この単葉体１は、脚部止着片１１が、スリットＳ１の下端近傍に一方側端縁から突出状に形成されている。図中右から２番目の単葉体２は、長手方向の中間位置の上端寄りに非切断残部７を残して、この非切断残部７の上下にスリットＳ２が形成されている。図中左から２番目の単葉体３は、長手方向の中間位置の下端寄りに非切断残部８を残して、この非切断残部８の上下にスリットＳ３が形成されている。図中左端の単葉体４は、下端近傍に非切断残部９を残して、長手方向の中間位置から上端部にかけてスリットＳ４が形成されている。単葉体４の上端近傍には、差込片４０が、スリットＳ４の一方側端縁に突設されている。この単葉体４の非切断残部９には、脚部止着片１１を差込可能として細長小穴状の脚部止着孔４１が設けられている。
【００１２】
係止手段５０は、１つの単葉体１に貫設される差込孔１０と、別の単葉体４に突設される差込片４０と、他の単葉体２，３に形成され差込孔１０に挿入可能な中間挿通部２０，３０とを、有している。
図中右から２番目の単葉体２の中間挿通部２０には、スリットＳ２の一方側端縁に突設される大突片２１と、大突片２１に貫設される中孔２２とが、形成されている。また、図中左から２番目の単葉体３の中間挿通部３０には、スリットＳ３の一方側端縁に突設されて中孔２２に挿入可能な中突片３１と、中突片３１に貫設される細長の小孔３２とが、形成されている。差込片４０は、中間挿通部３０の小孔３２に挿入可能として形成され、小孔３２からの引き抜けを防止するためのかえし部４０ａ，４０ａを有している。
即ち、差込孔１０と、中孔２２と、小孔３２は、次第に小さくなるように形成され、かつ、大突片２１、中突片３１、差込片４０は、次第に小さくなるように形成されている。
【００１３】
図３〜図６に於て、４枚の単葉体１，２，３，４を組み立てて立体複合体５を製作する過程を段階的に示している。
図３に示すように、単葉体１は、単体では断面一文字状（図３（ｂ）参照）である。
図４では、上端近傍に差込孔１０を有する一の単葉体１のスリットＳ１に、他の単葉体２（中間位置上端寄りの非切断残部７）を差し込んで、一の単葉体１の差込孔１０に、他の単葉体２の中間挿通部２０を挿通する。
次に、図５に示すように、２枚重ねた単葉体１，２のスリットＳ１，Ｓ２に、さらに他の単葉体３（中間位置下端寄りの非切断残部８）を差し込んで、差込孔１０に挿通した中間挿通部２０の中孔２２に、小孔３２を有する中間挿通部３０を挿通する。
そして、図６に於て、３枚の単葉体１，２，３のスリットＳ１，Ｓ２，Ｓ３に、差込片４０を有する別の単葉体４（下端近傍の非切断残部９）を差し込んで、中間挿通部３０の小孔３２に、差込片４０を挿通する。これと共に、差込孔１０及び挿通された中間挿通部２０，３０から差込片４０が引き抜けないように、かえし部４０ａ，４０ａを小孔３２に掛止して、４枚の単葉体１，２，３，４を連結する。図６（ｂ）に示すように、隣り合う単葉体１，２，３，４の角度が４５°となるように等間隔に展開した状態で、４枚の単葉体１，２，３，４（立体複合体５）は、断面（平面視）放射状となる。
【００１４】
図７は、本発明の加湿器用エレメント構造体の他の実施形態を分解状態で示した図である。
図７では、立体複合体５を構成する単葉体１，２，３，４の各々に突出状装飾部１８を連設している。
装飾部１８は、平面視放射状に組み立てた立体複合体５を幹として、樹木の枝・葉に見えるように形成されている（使用状態図示省略）。装飾部１８は、木の幹としての立体複合体５に支持され、水を含んで重くなったとしても、立体複合体５が係止手段５０によって確実に連結されているので、垂れ落ちることもない。この構成によれば、立体構造としてのデザイン性が向上し、容器Ｂに立体複合体５を立てて、室内空間を装飾するインテリア製品として使用することができる。
なお、装飾部１８は、例えば、樹木の枝に花が咲いているデザインも好ましく、また、太陽・地球・月・星など宇宙に存在する物体や、小鳥・小動物又は果実等をデザインしたものとするも良い。
【００１５】
また、立体複合体５に、プラスチック片から成る小鳥・花・果実の小物副装飾部材１９（図８参照）を付設するも望ましい。
装飾部材１９には、単葉体１，２，３，４のどの部分にでも取着できるクリップ部１７が形成されている。装飾部材１９は、立体複合体５を幹として、確実に支持され、立体複合体５が係止手段５０によって確実に連結されているので、落下することが少ない。装飾部材１９は、設置する場所の雰囲気や、使用者の気分によって複数種類の中から好きなデザインのものを選択して、容器Ｂに立てた立体複合体５に取付けて使用することができる。
【００１６】
上述した本発明の加湿器用エレメント構造体の使用方法（作用）について説明する。
図１に示すように、容器Ｂに水を入れ、挿入筒部に立体複合体５の挿入脚部５Ｂを差し込む。立体複合体５は、挿入脚部５Ｂから毛細管現象によって水を吸い上げて、蒸発加湿部５Ａ全体に水を含ませる。立体複合体５は、４枚の単葉体１，２，３，４が平面視（断面）放射状に構成され、かつ、上端近傍を係止手段５０によって相互に連結されているため、水に濡れて剛性が低下しても折れ曲がることなく、姿勢を保持する。従って、立体複合体５は、水を含んで全体が重くなっても、当接部５Ｃを挿入筒部の上端に当接して、美しい鉛直姿勢を保ったまま加湿を行うことが可能である。しかも、４枚の単葉体１，２，３，４の相互間には、上下方向に空気の流通路が形成されており、全体として空気に触れる表面積が広くなっているため、水をよく蒸発させ、周囲の空気の湿度を上げて、乾燥を予防する。逆に、周囲の空気の湿度が高くジメジメしている時は、水をほとんど蒸発させないため、周囲の空気の湿度に応じて自然な加湿を行える。従って、室内空間に良好な環境を作り出すのに役立って、ウィルスの拡散抑制や、オフィスでのドライアイの防止、絵画、美術品、陶器・磁器、骨董品、木製品を乾燥から保護する。しかも、立体構造でデザイン性が高く、インテリア製品として室内空間を装飾する。
【００１７】
なお、本発明は、設計変更可能であって、図例では、立体複合体５が、上端部に向かって次第に縮径するテーパ型であるが、当接部５Ｃと上端部が同径のストレート型であるも好ましく、又は、上端部から下方に次第に縮径する逆テーパー型であっても良い。
【００１８】
以上のように、本発明に係る加湿器用エレメント構造体は、吸水性不織布から成る３枚以上の薄片状単葉体１，２，３，４を備え、単葉体１，２，３，４の長手方向の夫々異なる位置に非切断残部６，７，８，９を残してスリットＳ１，Ｓ２，Ｓ３，Ｓ４が形成され、スリットＳ１，Ｓ２，Ｓ３，Ｓ４に非切断残部６，７，８，９を順次差し込んで３枚以上の単葉体１，２，３，４を平面視放射状に組み立てた立体複合体５を構成し、立体複合体５の上端近傍にて全ての単葉体１，２，３，４を相互に連結する係止手段５０を備えているので、平面視放射状に組み立てられた薄片状単葉体１，２，３，４が相互に支え合って、水に濡れた状態でも確実に鉛直姿勢を保持できる。立体複合体５の上端がバラけてしまうことなく、美しい姿勢で設置することができる。空気に触れる表面積が広く、吸い上げた水を確実に蒸発させることができる。
【００１９】
また、係止手段５０は、１つの単葉体１に貫設される差込孔１０と、別の単葉体４に突設される差込片４０と、他の単葉体２，３に形成され差込孔１０に挿入可能な中間挿通部２０，３０とを、有し、差込孔１０に、中間挿通部２０，３０と差込片４０を順次挿通すると共に差込片４０を引き抜けないように掛止して、全ての単葉体１，２，３，４を連結するように構成されたので、別部材を設ける必要がなく、確実に立体複合体５の上端を係止して美しい鉛直姿勢を保つことができる。
【００２０】
また、立体複合体５を構成する単葉体１，２，３，４の各々に突出状装飾部１８を連設しているので、立体構造としてのデザイン性が向上し、室内空間を装飾するインテリア製品として使用できる。
【００２１】
また、立体複合体５に、プラスチック片から成る小鳥・花・果実の小物副装飾部材１９を付設しているので、設置する場所の雰囲気や、使用者の気分によって複数種類の中から好きなデザインのものを選択して、立体複合体５に取付けて使用できる。
【符号の説明】
【００２２】
１，２，３，４  薄片状単葉体
５  立体複合体
６，７，８，９  非切断残部
１０  差込孔
１８  突出状装飾部
１９  小物副装飾部材
２０，３０  中間挿通部
４０  差込片
５０  係止手段
Ｓ１，Ｓ２，Ｓ３，Ｓ４  スリット
【図１】
2014081172.tif 000003
【図２】
2014081172.tif 000004
【図３】
2014081172.tif 000005
【図４】
2014081172.tif 000006
【図５】
2014081172.tif 000007
【図６】
2014081172.tif 000008
【図７】
2014081172.tif 000009
【図８】
2014081172.tif 000010